【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】
遊技機の制御プログラムを記録したＲＯＭを備えた制御基板を収容して凹部を設けた制御基板ボックスであって、上記凹部内部に面して配置するとともに、上記凹部内に挿入可能な凸部を形成した外部側の光通信インターフェイスと光通信するための光通信インターフェイスと、上記ＲＯＭのダンプ要求に対して同光通信インターフェイスを介してダンプ結果を出力する上記凹部底面にスイッチを配設したＲＯＭダンプ手段とを具備することを特徴とする制御基板ボックス。
【請求項２】
遊技機の制御プログラムを記録したＲＯＭを備えた制御基板を収容してスリットを形成した制御基板ボックスであって、上記スリットを介して挿入する外部側の光通信インターフェイスと光通信するための光通信インターフェイスと、上記ＲＯＭのダンプ要求に対して同光通信インターフェイスを介してダンプ結果を出力するＲＯＭダンプ手段とを具備することを特徴とする制御基板ボックス。
【請求項３】
遊技機の制御プログラムを記録したＲＯＭを備えた制御基板を収容して筒部を形成した制御基板ボックスであって、上記筒部内の上記基板上にその両脇にスルーホールを介して接続された端子部を形成して配設されるとともに、先端周縁部に金属リングを配設した光受信手段のみからなる外部光通信インターフェイスと光通信するための光通信インターフェイスと、上記ＲＯＭのダンプ要求に対して同光通信インターフェイスを介してダンプ結果を出力するＲＯＭダンプ手段とを具備することを特徴とする制御基板ボックス。
【手続補正２】
【補正対象書類名】明細書
【補正対象項目名】０００６
【補正方法】変更
【補正の内容】
【０００６】
【課題を解決するための手段】
上記目的を達成するため、その前提として、遊技機の制御プログラムを記録したＲＯＭを備えた制御基板を収容する制御基板ボックスであって、外部と光通信するための光通信インターフェイスと、上記ＲＯＭのダンプ要求に対して同光通信インターフェイスを介してダンプ結果を出力するＲＯＭダンプ手段とを具備することが考えられる。
【手続補正３】
【補正対象書類名】明細書
【補正対象項目名】０００７
【補正方法】変更
【補正の内容】
【０００７】
上記態様においては、制御基板ボックス内に遊技機の制御プログラムを記録したＲＯＭを備えた制御基板を収容しているとともに、光通信インターフェイスによって外部と光通信可能となっており、ＲＯＭダンプ手段はＲＯＭのダンプ要求が入力されると上記光通信インターフェイスを介してダンプ結果を出力する。
すなわち、光通信で制御基板ボックスの内部のＲＯＭを外部にて読み出すことが可能となり、制御基板ボックスを開封したり、コネクタを採用する必要はない。
【手続補正４】
【補正対象書類名】明細書
【補正対象項目名】００１０
【補正方法】変更
【補正の内容】
【００１０】
一方、制御基板ボックスには放熱用のスリットが形成されるのが通常であるため、当該スリットを介して外部側の光通信インターフェイスを挿入するようにしても良い。この場合、上記ＬＥＤなどは基板上に配設すればよく、製造が容易となる。また、スリットを介して挿入する外部側の光通信インターフェイスは当該スリットによって位置合わせできるというメリットもある。さらに、制御基板ボックスに専用の凹部を設け、光通信インターフェイスのＬＥＤなどを当該凹部内部に面して配置するとともに、外部側の光通信インターフェイスは当該凹部内に挿入可能な凸部を形成するとともに受光素子を同ＬＥＤに対面する位置に配置するようにしても良い。この場合、凹部底面にスイッチを配設しておき、外部側の光通信インターフェイスを当該凹部内に挿入したときに同スイッチがオンとなるようにすれば、挿入時にＲＯＭのダンプ要求を発するようにすることもできる。
上記に鑑みて、本発明の請求項１においては、遊技機の制御プログラムを記録したＲＯＭを備えた制御基板を収容して凹部を設けた制御基板ボックスであって、上記凹部内部に面して配置するとともに、上記凹部内に挿入可能な凸部を形成した外部側の光通信インターフェイスと光通信するための光通信インターフェイスと、上記ＲＯＭのダンプ要求に対して同光通信インターフェイスを介してダンプ結果を出力する上記凹部底面にスイッチを配設したＲＯＭダンプ手段とを具備する構成としてある。
また、請求項２は、遊技機の制御プログラムを記録したＲＯＭを備えた制御基板を収容してスリットを形成した制御基板ボックスであって、上記スリットを介して挿入する外部側の光通信インターフェイスと光通信するための光通信インターフェイスと、上記ＲＯＭのダンプ要求に対して同光通信インターフェイスを介してダンプ結果を出力するＲＯＭダンプ手段とを具備する構成としてある。
また、請求項３は、遊技機の制御プログラムを記録したＲＯＭを備えた制御基板を収容して筒部を形成した制御基板ボックスであって、上記筒部内の上記基板上にその両脇にスルーホールを介して接続された端子部を形成して配設されるとともに、先端周縁部に金属リングを配設した光受信手段のみからなる外部光通信インターフェイスと光通信するための光通信インターフェイスと、上記ＲＯＭのダンプ要求に対して同光通信インターフェイスを介してダンプ結果を出力するＲＯＭダンプ手段とを具備する構成としてある。
【手続補正５】
【補正対象書類名】明細書
【補正対象項目名】００１２
【補正方法】変更
【補正の内容】
【００１２】
【発明の効果】
以上説明したように本発明は、各種封印手段の封印を開封することなく、また、専用のコネクタなどを使用しないで内部のＲＯＭ内容を容易にダンプすることが可能である。
また、制御基板ボックスに設けられた凹部やスリット、筒部により挿入する外部側の光通信インターフェイスを位置あわせしやすい。さらに、上記スリットは通常制御基板ボックスに形成される放熱用のスリットを利用可能であるし、また、上記凹部や上記筒部に外部側インターフェイスを挿入するだけでＲＯＭダンプ要求を発することが可能となり作業性が向上する制御基板ボックスを提供することができる。
【手続補正６】
【補正対象書類名】明細書
【補正対象項目名】００３１
【補正方法】変更
【補正の内容】
【００３１】
また、図１８〜図２０においては第三実施形態のものをより簡易化した構成例を示している。この場合、透明の樹脂板３１２を利用して丸孔状の筒部３１２ａを形成してあり、同筒部３１２ａの端部はプリント基板３２０表面に当接している。プリント基板３２０上には一つのＬＥＤ３３６を配設してあり、前述したようにシリアル通信を行う。また、このＬＥＤ３３６の両脇にはスルーホールを介して裏面のプリント配線側に接続された端子部３２１，３２１を形成してあり、図示しない遊技制御Ｉ／Ｏにて両端子部３２１，３２１間が導通状態か非導通状態か検知できるようになっている。
【手続補正７】
【補正対象書類名】明細書
【補正対象項目名】００３２
【補正方法】変更
【補正の内容】
【００３２】
図２０に示すのはライトペンのような外部光通信インターフェイス３４０であり、先端中央にフォトトランジスタ３４１が配設され、先端周縁部には金属リング３４２が配設してある。
かかる光受信手段のみからなる外部光通信インターフェイス３４０を上記筒部３１２ａ内に挿入すると、先端の金属リング３４２が二つの端子部３２１，３２１間を導通させるので、遊技制御Ｉ／Ｏにて検知され、図示しないＣＰＵはダンプ指令されたものと判断して光送信手段であるＬＥＤ３３６を使用してシリアル一方向通信によるダンプを開始する。
【手続補正８】
【補正対象書類名】図面
【補正対象項目名】図１５
【補正方法】変更
【補正の内容】
【図１５】
2003052991.tif 000001